(57)【要約】      （修正有）【課題】高洗浄力、高除菌力を有しながら肌への刺激がないウエットワイパーを実現する。【解決手段】液含浸性を有するシートに、ｐＨが１３．０〜１３．２である強アルカリ性電解水を主成分とし、少なくとも炭酸ナトリウムを０.１〜２.０重量％を加えた構成よりなる洗浄液を含浸させる。また、強アルカリ性電解水は、電解液タンク内の電解液を循環させながら、十分に時間をかけて電気分解することにより、電解補助剤としての炭酸カリウムの投入量を減少させて生成される。【選択図】図１
2016159122.tif 000002
【特許請求の範囲】
【請求項１】
ｐＨが１３．０〜１３．２である強アルカリ性電解水を主成分とし、少なくとも炭酸ナトリウムを０. １〜２. ０重量％を加えた構成よりなる洗浄液を、液含浸性を有するシートに含浸させたことを特徴とするウエットワイパー。
【請求項２】
強アルカリ性電解水は電解液タンク内の電解液を循環させながら十分に時間をかけて電気分解することにより、電解補助剤としての炭酸カリウムの投入量を減少させて生成されるものである請求項１記載のウエットワイパー。
【請求項３】
液含浸性を有するシートは不織布または布である請求項１または２記載のウエットワイパー。
【請求項４】
洗浄液はｐＨが１３．０〜１３．２である強アルカリ性電解水を３〜５０重量％、ベンザルコニュムクロリドを０. ０２〜０. ２重量％、炭酸ナトリウムを０. １〜２. ０重量％、ＥＤＴＡ−４Ｎａを０. ００１〜０. ０５重量％、ブチルカルバミン酸ヨウ化プロピルを０. ００１〜０. １重量％の割合で含む、請求項１から４の何れかに記載のウエットワイパー。
【請求項５】
洗浄液を含浸させたシートを折り畳んだり巻いた状態で、開封可能な密封袋体に収容した請求項１から４の何れかに記載のウエットワイパー。
【請求項６】
シートは面積が少なくとも１８００ｃｍ2 以上である請求項６記載のウエットワイパー。
【請求項７】
密封袋体は長さが１８〜２２ｃｍのステッィク包装袋である請求項６又は７記載のウエットワイパー。
【発明の詳細な説明】
【技術分野】
【０００１】
この発明は洗浄液を含浸させたシートからなるウエットワイパーに関する。
【背景技術】
【０００２】
家具、小物、ＯＡ機器、床や壁、ペット、あるいは手指などの清拭に使用するものとして洗浄液を液含浸性を有するシートに含浸させたいわゆるウエットワイパーやウエットティッシュが周知であり、この中には除菌や洗浄作用を有する洗浄液を用いたものもある（例えば、特許文献１。）。
【０００３】
しかしながら、除菌や洗浄作用に力点を置いた場合、特許文献２に記載の発明のように高濃度のアルコールを使用せざるを得ず、肌への刺激が強く、これらを使用する者の肌を傷めるおそれがあった。
【０００４】
そのため、肌への刺激がないものとして、精製水を主成分として防菌・防黴効果がある香酸ナトリウム、植物エキスを配合したウエットティッシュも提案されていた（例えば、特許文献２。）。
【０００５】
また、ウエットティッシュの含浸液としてアルカリ性電解水を使用することも提案されている（例えば、特許文献３。）。
【先行技術文献】
【特許文献】
【０００６】
【特許文献１】特開平５−１５４６８号公報
【特許文献２】特開２００１−２０６８１８号公報
【特許文献３】特開２００９−４６１７９号公報
【特許文献４】実用新案登録第３１８０１４７号公報
【発明の概要】
【発明が解決しようとする課題】
【０００７】
前記の従来技術のうち、精製水を主成分として防菌・防黴効果がある安息香酸ナトリウム、植物エキスを配合した技術に関しては、主成分が精製水であるため、十分な洗浄効果を得られない問題があった。
【０００８】
一方、特許文献３にはウエットティッシュの含浸液としてアルカリ性電解水を使用することが記載されているが、その記載は僅かに同文献の明細書の段落００１２の「そして、この容器本体１の内部に、一定の間隔で切り取り線３１を入れて、この切り取り線３１に沿って切り離して一枚ずつ引き出し可能となるロール状のウエットティッシュ３０を収納する。このウエットティッシュ３０には、水やアルカリ電解水等の水分、発酵アルコール等のアルコール分等の液体、さらには界面活性剤や植物エキス、防腐剤等を添加した液体を大量に含浸させている。」のみであり、どのような性質のアルカリ電解水を、どのように使用するのかが不明である。
【課題を解決するための手段】
【０００９】
この発明のウエットワイパーは以上の問題点に鑑みて創作されたものであり、ｐＨが１３．０〜１３．２である強アルカリ性電解水を主成分とし、少なくとも炭酸ナトリウムを０. １〜２. ０重量％を加えた構成よりなる洗浄液を、液含浸性を有するシートに含浸させたことを特徴とする。
【００１０】
また、請求項２記載の発明は前記のウエットワイパーにおいて、強アルカリ性電解水は電解液タンク内の電解液を循環させながら十分に時間をかけて電気分解することにより、電解補助剤としての炭酸カリウムの投入量を減少させて生成されるものであることを特徴とする。
【００１１】
また、請求項３記載の発明は前記のウエットワイパーにおいて、液含浸性を有するシートは不織布または布であることを特徴とする。
【００１２】
また、請求項４記載の発明は前記のウエットワイパーにおいて、洗浄液はｐＨが１３．０〜１３．２である洗浄作用を有する強アルカリ性電解水を３〜５０重量％、ベンザルコニュムクロリドを０. ０２〜０. ２重量％、炭酸ナトリウムを０. １〜２. ０重量％、ＥＤＴＡ−４Ｎａを０. ００１〜０. ０５重量％、ブチルカルバミン酸ヨウ化プロピルを０. ００１〜０. １重量％の割合で含むことを特徴とする。
【００１３】
また、請求項５記載の発明は前記のウエットワイパーにおいて、洗浄液を含浸させたシートを折り畳んだり巻いた状態で、開封可能な密封袋体に収容したことを特徴とする。
【００１４】
また、請求項６記載の発明は前記のウエットワイパーにおいて、シートは面積が少なくとも１８８０ｃｍ2 以上であることを特徴とする。
【００１５】
また、請求項７記載の発明は前記のウエットワイパーにおいて、密封袋体は長さが１８〜２２ｃｍのステッィク包装袋であることを特徴とする。
【発明の効果】
【００１６】
この発明は洗浄液の主成分として強アルカリ性電解水を使用している。強アルカリ性電解水はアルカリ物質として界面活性剤としての作用を果たし、脂肪やタンパク質、油汚れなどの洗浄効果を奏し、さらに除菌効果も有することは周知のところである。これに関し、強アルカリ性電解水を物を拭く際に併用する洗浄液として使用することも提案されている（特許文献４）。この発明はこの強アルカリ性電解水を主成分とした洗浄液を液含浸性を有するシートに含浸させている。
【００１７】
ところで、液体状態で密封容器に充填し、使用の際にその分のみを注ぎ出す従来技術の場合と異なり、この発明においては洗浄液を液含浸性を有するシートに予め含浸させて清拭の用に供する。その結果、洗浄液は液体状態で原液のままで密封容器に充填された場合はｐＨを長い間維持できるが、不織布に含浸させる際ｐＨの低下を生じ、予定していた洗浄効果や除菌効果を発揮できなくなる問題を生じることとなる。この発明はこの点に着想し、アルカリ緩衝作用を示しｐH を維持する炭酸ナトリウムを含浸液に少なくとも０. １〜２. ０重量％を加えることにより含浸させた不織布のｐH の低下を防止している。
【００１８】
一方、この発明においては強アルカリ性電解水として今までには使用した事例がないｐＨが１３．０〜１３．２のものを想定している。そうすることにより、従来公知の強アルカリ性電解水に比べより強力な洗浄効果や除菌効果を得ることができる。しかしながら、その場合は洗浄液のカリウム濃度が上昇して人体に対し刺激を与えてしまう問題が生じる。周知のように、アルカリ性電解水は水に炭酸カリウム溶液を加えたものを電気分解して得られるが、アルカリ性電解水のｐＨを上げようとした場合には加える炭酸カリウム溶液の濃度を上げるというのが従来の製法であり、その結果、アルカリ性電解水のカリウム濃度も上がってしまうこととなった。
【００１９】
請求項２記載の発明は前記の問題を解消するものであり、炭酸カリウムはあくまでも電解のための補助剤であるという点に着眼し、電解液タンク内の電解液を循環させながら十分に時間をかけて電気分解することにより、電解補助剤としての炭酸カリウムの投入量を減少させる。その結果、生成された強アルカリ性電解水のカリウム濃度の上昇が防止され、高洗浄力、高除菌力を有しながら使用する者の肌を傷めるおそれがないウエットワイパーが実現される。
【００２０】
前記のように、洗浄液はシートの全表面に渡って拡散するが、この発明によればそれによるｐＨの低下が防止される。また、強アルカリ性電解水はアルコールのような刺激がないことはもちろん、従来技術の植物エキスに比べても無臭でありエキス分の蒸散ということもない。そして、請求項２に記載の発明によればｐＨを１３．０〜１３．２としても人体に対する刺激があるカリウム濃度の上昇を抑えることが可能となる。その結果、請求項６記載の発明のように洗浄液を含浸させたシートを従来技術のウエットワイパーやウエットティッシュの数倍の面積となる１８００ｃｍ2 以上としても使用者に不快感を与えたり刺激を与えるおそれがなく、高い洗浄力と除菌力を持つ通常のタオルに匹敵する大きさを持つウエットワイパーが実現されるものであり、家具や床や壁、ペットの清拭などに最適となる。
【００２１】
請求項７記載の発明はこの発明のウエットワイパーを清掃の現場で使用するのに最適な状態とすることに意を払ったものであり、面積が少なくとも１８００ｃｍ2 以上である洗浄液を含浸させた前記のシートを折り畳んだり巻いた状態で、開封可能な長さが１８〜２２ｃｍのステッィク包装袋に収容している。その結果、包装袋は細長いステッィク包装袋に一枚づつ収容されているので、清掃の現場において清掃者が被服のポケット内に常時携帯することができ、咄嗟に拭き取りが必要になった際に大面積のウエットワイパーを迅速に使用に供することが可能となる。
【図面の簡単な説明】
【００２２】
【図１】この発明のウエットワイパーに使用する強アルカリ性電解水を生成するための装置の構成図。
【図２】この発明のウエットワイパーのシートの斜視図。
【図３】この発明のウエットワイパーのシートの斜視図。
【図４】この発明のウエットワイパーの包装状態の斜視図。
【図５】この発明のウエットワイパーの異なる実施例のシートの斜視図。
【図６】この発明のウエットワイパーの異なる実施例の包装前の斜視図。
【図７】この発明のウエットワイパーの異なる実施例の包装状態の斜視図。
【発明を実施するための形態】
【００２３】
以下はこの発明のウエットワイパーに使用する洗浄液の組成の具体例である。
ｐＨが１３．０〜１３．２である強アルカリ性電解水／３〜５０重量％
ベンザルコニュムクロリド／０. ０２〜０. ２重量％
炭酸ナトリウム／０. １〜２. ０重量％
ＥＤＴＡ−４Ｎａ／０. ００１〜０. ０５重量％
ブチルカルバミン酸ヨウ化プロピル／０. ００１〜０. １重量％またはパラオキシ安息香酸エステル／０. ０１〜１重量％          
【００２４】
前記のうち、ベンザルコニュムクロリドは殺菌剤としての作用、炭酸ナトリウムは前記したｐＨの低下を防ぐ緩衝剤としての作用、ＥＤＴＡ−４Ｎａはキレート剤としての作用、ブチルカルバミン酸ヨウ化プロピルまたはパラオキシ安息香酸エステルは防腐剤としての作用を果たす。なお、この発明のウエットワイパーを主に人体を清拭するために使用する場合は保湿成分としてプロピレングリコールを０. １〜１０重量％加えてもよい。
【００２５】
この発明においては、強アルカリ性電解水の生成にあたり電解液タンク内の電解液を循環させながら十分に時間をかけて電気分解させ、電解補助剤としての炭酸カリウムの投入量を減少させることにより、生成された強アルカリ性電解水のカリウム濃度の上昇を防止している。
【００２６】
図１は前記の強アルカリ性電解水を生成するための装置の構成例を示す図である。図中符号３は電解液タンクを示す。この電解液タンク３は陽イオン交換膜４をもって、陰極板５を有する陰極室６と、陽極板７を有する陽極室８に区切られる。前記の陽極室６には、給水管１から原水が供給されるが、原水は軟水を逆浸透膜装置２により純水化したものが供給される。一方、陽極室４には、炭酸カリウム溶液タンク９から電解補助剤として炭酸カリウム溶液が供給され、陰極室６からはアルカリ性電解水タンク１０に生成されたアルカリ性電解水が供給される。
【００２７】
以上の生成装置においては、図示しない直流電源装置から陰極室６の陰極板５にマイナス電圧を、陽極室８の陽極板７にプラス電圧を印加して電解液タンク内でイオンを移動させることにより、アルカリ性電解水を生成する。この場合、ここでは印加する電圧を１５〜２０V、電流を１５〜１８Ａとし、流量２リットル
／分の一定流量で１００分という十分な時間をかけて循環させながら電気分解することにより、電気分解のための補助剤として使用する炭酸カリウムの投入量を最小限に抑えている。
【００２８】
試験例として、ｐＨが１３．１の強アルカリ性電解水２０リットルを１００分かけて生成した場合、生成された強アルカリ性電解水中のカリウム濃度は、通常は約１００００ｐｐｍなのに対し、５０００〜８０００ｐｐｍに抑えられた。
【００２９】
前記の強アルカリ性電解水を使用して前記の組成により得た洗浄液を含浸させたシートに関し、４７．１歳±８．０歳の女性１４人、４４．７歳±１１．１歳の男性６人を対象とした、皮膚への２４時間連続貼付による閉鎖法パッチテストを実施したが、皮膚刺激指数は０．０であり、人体への刺激がないことが実証された。
【００３０】
図２〜図４はこの発明のウエットワイパーのシートの実施例を示す図である。図中符号２０は洗浄液を含浸させたシートである。このシートの素材としてはレーヨンパルプ、レーヨンＰＥＴなどの不織布や、綿などの布が想定されるが、良好な液含浸性を有するものであればこれらに限定されないことは勿論である。
【００３１】
前記のシート２０はここでは縦２０ｃｍ、横３０ｃｍのものを使用し、図に示すように先ず長手側の両端を折って短手側の幅を２分の１にした後、更に２つに折り畳んでいる。
【００３２】
折り畳んだシート２０は多数枚を重ね（図３）、粘着層を設けることにより反復開閉可能な蓋片２３により被蓋される取り出し窓２２を備えた包装袋に収容される（図４）。
【００３３】
図５〜図７はこの発明のウエットワイパーのシートの異なる実施例を示す図であり、ここではシート３０は縦３０ｃｍ、横６０ｃｍのものを使用し、図に示すように先ず短手側の両端を折って長手側の幅を２分の１にした後、長手側の両端を折って短手側の幅を２分の１にし、更に２つに折り畳み、最後にこれを円柱状に巻いている。
【００３４】
図中符号３１は前記のシート３０を収容するステッィク包装袋である。ここでは長さ２０．５ｃｍ、幅１０ｃｍのプラスティックフィルムを、内部に円柱状に巻いたシート３０を収容しながら、短手側両端３２を、３２重ね合わせるともに、長手側両端３３、３３を合掌状に重ねてそれぞれヒートシールすることによりステッィク包装袋としている（図６、図７）。
【００３５】
以上の実施例におけるシートの大きさは例示であり、その他に縦１０ｃｍ、横１０ｃｍ、縦３０ｃｍ、横３０ｃｍのものも想定しているが、大きさはこれらに限定されないことは勿論である。なお、家具や床や壁、ペットの清拭などの用途としては、従来の布製のタオルに比肩し得る少なくとも１８００ｃｍ2 以上の面積のものが使いやすい。
【符号の説明】
【００３６】
１          給水管
２          逆浸透膜装置
３          電解液タンク
４          陽イオン交換膜
５          陰極板
６          陰極室
７          陽極板
８          陽極室
９          炭酸カリウム溶液タンク
１０        アルカリ性電解水タンク
２０        シート
２１        包装袋
３０        シート
３１        ステッィク包装袋
【図１】
2016159122.tif 000003
【図２】
2016159122.tif 000004
【図３】
2016159122.tif 000005
【図４】
2016159122.tif 000006
【図５】
2016159122.tif 000007
【図７】
2016159122.tif 000008
【図６】
2016159122.tif 000009